(57)【要約】【課題】以前に受信した相手先に対する返信する場合、従来技術に比較して簡単な操作で返信できる。【解決手段】ファクシミリ装置２０の主制御部１は、受信した呼の相手先の電話番号を含む受信履歴を通信管理テーブル７ａとしてＲＡＭ７に記憶し、相手先からファクシミリ受信した後にファクシミリ送信するファクシミリ受信返信時において、操作部５の返信キーがオンされたとき（図４のステップＳ１４でＹＥＳ）、通信管理テーブル７ａから受信履歴情報を読み出して、表示部４に、受信履歴情報内の相手先のファクシミリ番号で示す送信予定先の一覧表を表示し（図５のステップＳ２１）、操作者が操作部５を用いて当該一覧表から返信先を選択して指定したとき（ステップＳ２２−Ｓ３７）、画像データを上記指定された返信先に送信する（ステップＳ４２）。【選択図】　図１
2004064523.tif 000002
【特許請求の範囲】
【請求項１】
受信した呼の相手先の電話番号を含む受信履歴を記憶する受信履歴記憶手段と、表示手段に受信履歴を表示し、受信履歴の中から返信先を選択して指定する表示操作手段と、画像データを上記指定された返信先に送信する送信手段とを備えたことを特徴とする通信端末装置。
【請求項２】
上記表示操作手段は、表示手段に受信履歴の一覧表を表示し、受信履歴の一覧表から返信先を選択して指定することを特徴とする請求項１記載の通信端末装置。
【請求項３】
上記受信履歴は、暦情報と、受信のシリアル番号とからなる通信管理情報をさらに含むことを特徴とする請求項１又は２記載の通信端末装置。
【発明の詳細な説明】
【０００１】
【発明の属する技術分野】
本発明は、受信履歴からの返信機能を有するファクシミリ装置などの通信端末装置に関する。
【０００２】
【従来の技術】
従来技術のファクシミリ装置において、相手先に送信するときに相手先を指定する方法として、以下の方法がある。
（ａ）直接に相手先のファクシミリ番号を入力して指定する直接ダイヤル。
（ｂ）予め短縮番号に対応して相手先のファクシミリ番号を入力しておき短縮番号を入力して指定する短縮ダイヤル。
（ｃ）予めワンタッチキーに対応して相手先のファクシミリ番号を入力しておきワンタッチキーを押下して指定するワンタッチダイヤル。
【０００３】
【発明が解決しようとする課題】
しかしながら、以前にファクシミリ受信した相手先に対する返信であっても、上述の従来の方法により相手先を指定する必要があるという問題点があった。
【０００４】
本発明の目的は以上の問題点を解決し、以前に受信した相手先に対する返信する場合、従来技術に比較して簡単な操作で返信できるファクシミリ装置などの通信端末装置を提供することにある。
【０００５】
【課題を解決するための手段】
本発明に係る通信端末装置は、受信した呼の相手先の電話番号を含む受信履歴を記憶する受信履歴記憶手段と、表示手段に受信履歴を表示し、受信履歴の中から返信先を選択して指定する表示操作手段と、画像データを上記指定された返信先に送信する送信手段とを備えたことを特徴とする。
【０００６】
上記通信端末装置において、上記表示操作手段は、好ましくは、表示手段に受信履歴の一覧表を表示し、受信履歴の一覧表から返信先を選択して指定することを特徴とする。
【０００７】
また、上記通信端末装置において、上記受信履歴は、暦情報と、受信のシリアル番号とからなる通信管理情報をさらに含むことを特徴とする。
【０００８】
【発明の実施の形態】
以下、図面を参照して本発明に係る実施形態について説明する。
【０００９】
＜実施形態＞
図１は、本発明に係る実施形態である、受信履歴からの返信機能を有するファクシミリ装置２０の構成を示すブロック図である。この実施形態に係るファクシミリ装置２０の主制御部１は、受信した呼の相手先の電話番号を含む受信履歴を通信管理テーブル７ａとしてＲＡＭ７に記憶し、相手先からファクシミリ受信した後にファクシミリ送信するファクシミリ受信返信時において、操作部５の返信キーがオンされたとき（図４のステップＳ１４でＹＥＳ）、通信管理テーブル７ａから受信履歴情報を読み出して、表示部４に、受信履歴情報内の相手先のファクシミリ番号で示す送信予定先の一覧表を表示し（図５のステップＳ２１）、操作者が操作部５を用いて当該一覧表から返信先を選択して指定したとき（ステップＳ２２−Ｓ３７）、画像データを上記指定された返信先に送信する（ステップＳ４２）ように制御することを特徴としている。
【００１０】
図１において、ファクシミリ装置２０は、従来のＧ３方式等のファクシミリ通信機能を備えるとともに、受信履歴からの返信機能を有している。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１１】
操作部５は、当該ファクシミリ装置２０を操作するために必要なキーを備え、具体的には、テンキー、ワンタッチキー及び各種のファンクションキー等を備える。ここで、テンキーは、”０”から”９”までの１桁の数字キーと、＊キー（アスタリスクキー）と、＃キー（シャープキー）とからなる。なお、上述の表示部４の少なくとも一部をタッチパネル方式とすることにより、この操作部５の各種キーの内の一部又は全部を代用するように構成してもよい。
【００１２】
ＲＯＭ６は、当該ファクシミリ装置２０の動作に必要であって主制御部１によって実行される種々のソフトウェアのプログラムを予め格納し、ここで、当該プログラムは、少なくとも、図３のファクシミリ受信処理、並びに図４乃至図６のファクシミリ返信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１３】
ファックスモデム１０は、ＮＣＵ（ネットワーク制御回路：Ｎｅｔｗｏｒｋ　Ｃｏｎｔｒｏｌ　Ｕｎｉｔ）１１を介して公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ１１はそれぞれ、アナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。
【００１４】
なお、ＮＣＵ１１を所定のターミナルアダプタ及びＤＳＵ（加入者線終端装置：Ｄｉｇｉｔａｌ　Ｓｅｒｖｉｃｅ　Ｕｎｉｔ）を介して、ベースバンド伝送方式のデジタル通信回線（例えば、ＩＳＤＮ回線）に接続するようにしてもよい。
【００１５】
以上のように構成された本実施形態のファクシミリ装置２０は、通常のＧ３方式等のファクシミリ通信機能に加えて、受信履歴からの返信機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１６】
図２は図１のＲＡＭ７内の通信管理テーブル７ａの一例を示す図である。図２の通信管理テーブル７ａにおいては、各送信又は各受信毎に、送信又は受信の別、相手先のファクシミリ番号、通信日時、通信結果（送信結果又は受信結果）、通信管理情報とが格納される。ここで、通信管理情報は、通信した年と月内とを含む暦情報と、その暦内でのシリアル番号とを含む。この例では、受信のみについて通信管理情報を付与しているが、送信について付与してもよい。その場合、シリアル番号は、送信及び受信でシリアル番号を付与してもいいし、送信と受信とを分けてシリアル番号を付与してもよい。さらに、上記暦内でのシリアル番号は、月毎のシリアル番号であるが、各年毎のシリアル番号であってもよい。
【００１７】
図３は図１の主制御部１によって実行されるファクシミリ受信処理を示すフローチャートである。
【００１８】
図３において、まず、ステップＳ１において通信管理機能モードが設定されているか否かが判断され、ＮＯのときはステップＳ２に進む一方、ＹＥＳのときはステップＳ４に進む。ステップＳ２においてファクシミリ受信及び受信原稿のプリント処理を実行し、ステップＳ３において相手先の送信ファクシミリ番号、通信日時、受信結果を通信管理テーブル７ａに記憶して当該ファクシミリ受信処理を終了する。一方、ステップＳ４においてファクシミリ受信処理を実行し、ステップＳ５においてファクシミリ受信された画像データの画像を通信管理情報とともに画像記録部３を用いて印字し、ステップＳ６において相手先の送信ファクシミリ番号、通信日時、受信結果、通信管理情報を通信管理テーブル７ａに記憶する。なお、ステップＳ３又はＳ６における相手先のファクシミリ番号は、ファクシミリの画像データの送受信に先だって行われるファクシミリシーケンスにおけるＴＳＩ信号からその情報を得てもいいし、発信電話番号通知サービスを用いて検出した発信電話番号であってもよい。
【００１９】
図４乃至図６は、図１の主制御部１によって実行されるファクシミリ返信処理を示すフローチャートである。
【００２０】
図４のステップＳ１１において、まず、通信管理テーブル７ａから受信履歴情報を読み出して、指示された通信の受信結果を表示部４に表示し、ここで、シリアル番号が入力されて通信が指示されていないときは、直前にファクシミリ受信した通信のうち所定の個数（例えば、５個）の通信の相手先のファクシミリ番号、通信日時及び受信結果を表示し、シリアル番号が入力されて通信が指示されているときは、指示された通信に関するこれらの情報を表示する。次いで、ステップＳ１２において結果表示のスクロールキーがオンされたか否かが判断され、ＹＥＳのときは、スクロールキーに応じて表示情報を変更し、具体的には、ステップＳ１１において、下矢印のスクロールキーがオンされたときはより若い通信日時における情報を表示し、上矢印のスクロールキーがオンされたときはより古い通信日時における情報を表示する。ステップＳ１２でＮＯであるときは、ステップＳ１３において通信管理情報のシリアル番号が入力されたか否かが判断され、ＹＥＳのときはステップＳ１３に戻る一方、ＮＯのときはステップＳ１４に進む。ステップＳ１４において返信キーがオンされたか否かが判断され、ＹＥＳのときは図５のステップＳ２１に進む一方、ＮＯのときはステップＳ１５に進み、その他の処理を実行して当該ファクシミリ返信処理を終了する。
【００２１】
図５のステップＳ２１において、指定された送信元を含む、受信履歴情報内の相手先のファクシミリ番号で示す送信予定先の一覧表を表示部４に表示し、ここで、送信予定先のうち選択された送信先には送信先マークＴが付与されて「送信先」として表示される。次いで、ステップＳ２２において下向き矢印キーがオンされたか否かが判断され、ＹＥＳのときはステップＳ２３に進む一方、ＮＯのときはステップＳ２４に進む。ステップＳ２３において送信予定先のうちの１つの送信先を指示するカーソルを１段だけ下げた後、ステップＳ２１に戻る。また、ステップＳ２４において上向き矢印キーがオンされたか否かが判断され、ＹＥＳのときはステップＳ２５に進む一方、ＮＯのときはステップＳ２６に進む。ステップＳ２５において送信先のうちの１つの送信先を指示するカーソルを１段上げた後、ステップＳ２１に戻る。
【００２２】
さらに、ステップＳ２６において選択キーがオンされたか否かが判断され、ＹＥＳのときはステップＳ２７に進む一方、ＮＯのときはステップＳ２８に進む。ステップＳ２７においてカーソルで指示された送信先を送信先として選択してＲＡＭ７内に記憶し、ステップＳ２１に戻る。また、ステップＳ２８において削除キーがオンされたか否かが判断され、ＹＥＳのときはステップＳ２９に進む一方、ＮＯのときは図６のステップＳ３１に進む。ステップＳ２９においてカーソルで指示された送信予定先を削除してステップＳ２１に戻る。
【００２３】
図６のステップＳ３１において追加キーがオンされたか否かが判断され、ＹＥＳのときはステップＳ３２に進む一方、ＮＯのときはステップＳ３８に進む。ステップＳ３２においてテンキーを用いて送信先が入力されたか否かが判断され、ＹＥＳのときはステップＳ３３に進む一方、ＮＯのときはステップＳ３４に進む。ステップＳ３３において入力された送信先を送信先として選択しＲＡＭ７内に記憶した後、図５のステップＳ２１に戻る。また、ステップＳ３４においてワンタッチキーを用いて送信先が指定されたか否かが判断され、ＹＥＳのときはステップＳ３５に進む一方、ＮＯのときはステップＳ３６に進む。ステップＳ３５において指定された送信先を送信先として選択しＲＡＭ７内に記憶した後、図５のステップＳ２１に戻る。さらに、ステップＳ３６において短縮番号を用いて送信先が指定されたか否かが判断され、ＹＥＳのときはステップＳ３７に進む一方、ＮＯのときはステップＳ３２に進む。ステップＳ３７において指定された送信先を送信先として選択しＲＡＭ７内に記憶した後、図５のステップＳ２１に戻る。
【００２４】
ステップＳ３８においてスタートキーがオンされたか否かが判断され、ＹＥＳのときはステップＳ３９に進む一方、ＮＯのときは図５のステップＳ２２に進む。ステップＳ３９において読み取り部に原稿があるか否かが判断され、ＹＥＳのときはステップＳ４１に進む一方、ＮＯのときはステップＳ４０に進み、ステップＳ４０において拒絶ブザーを鳴動し、ステップＳ３８に進む。次いで、ステップＳ４１において送信原稿の画像データを画像メモリ８に記憶し、ステップＳ４２において指定された送信先にファクシミリ送信処理を実行することにより、上記送信原稿の画像データを送信し、当該ファクシミリ返信処理を終了する。
【００２５】
以上説明したように、本実施形態によれば、ファクシミリ装置２０の主制御部１は、受信した呼の相手先の電話番号を含む受信履歴を通信管理テーブル７ａとしてＲＡＭ７に記憶し、相手先からファクシミリ受信した後にファクシミリ送信するファクシミリ受信返信時において、操作部５の返信キーがオンされたとき（図４のステップＳ１４でＹＥＳ）、通信管理テーブル７ａから受信履歴情報を読み出して、表示部４に、受信履歴情報内の相手先のファクシミリ番号で示す送信予定先の一覧表を表示し（図５のステップＳ２１）、操作者が操作部５を用いて当該一覧表から返信先を選択して指定したとき（ステップＳ２２−Ｓ３７）、画像データを上記指定された返信先に送信する（ステップＳ４２）ように制御する。従って、以前に受信した相手先に対する返信する場合、受信履歴の一覧表から選択して相手先を指定できるので、従来技術に比較して簡単な操作で返信でき、操作性を大幅に向上できる。
【００２６】
また、通信管理情報のシリアル番号を指定して受信履歴のうちの１つの受信を指定でき、これにより返信の相手先を指定できるので（ステップＳ１３からＳ１１）、従来技術に比較して簡単な操作で返信でき、操作性を大幅に向上できる。
【００２７】
＜変形例＞
以上の実施形態においては、ファクシミリ装置２０の例について述べているが、本発明はこれに限らず、公衆電話網又は公衆デジタル通信回線網などの公衆網に接続された、例えば電話機、データ通信装置などを含む通信端末装置に適用することができる。
【００２８】
【発明の効果】
以上詳述したように本発明にに係る通信端末装置によれば、受信した呼の相手先の電話番号を含む受信履歴を記憶する受信履歴記憶手段と、表示手段に受信履歴を表示し、受信履歴の中から返信先を選択して指定する表示操作手段と、画像データを上記指定された返信先に送信する送信手段とを備える。従って、以前に受信した相手先に対する返信する場合、従来技術に比較して簡単な操作で返信でき、操作性を大幅に向上できる。
【００２９】
上記通信端末装置において、上記表示操作手段は、好ましくは、表示手段に受信履歴の一覧表を表示し、受信履歴の一覧表から返信先を選択して指定する。従って、以前に受信した相手先に対する返信する場合、受信履歴の一覧表から選択して相手先を指定できるので、従来技術に比較して簡単な操作で返信でき、操作性を大幅に向上できる。
【００３０】
また、上記通信端末装置において、上記受信履歴は、暦情報と、受信のシリアル番号とからなる通信管理情報をさらに含む。従って、以前に受信した相手先に対する返信する場合、通信管理情報を参照して相手先を指定できるので、従来技術に比較して簡単な操作で返信でき、操作性を大幅に向上できる。
【図面の簡単な説明】
【図１】本発明に係る実施形態である、受信履歴からの返信機能を有するファクシミリ装置２０の構成を示すブロック図である。
【図２】図１のＲＡＭ７内の通信管理テーブル７ａの一例を示す図である。
【図３】図１の主制御部１によって実行されるファクシミリ受信処理を示すフローチャートである。
【図４】図１の主制御部１によって実行されるファクシミリ返信処理の第１の部分を示すフローチャートである。
【図５】図１の主制御部１によって実行されるファクシミリ返信処理の第２の部分を示すフローチャートである。
【図６】図１の主制御部１によって実行されるファクシミリ返信処理の第３の部分を示すフローチャートである。
【符号の説明】
１…主制御部、
２…画像読取部、
３…画像記録部、
４…表示部、
５…操作部、
６…ＲＯＭ、
７…ＲＡＭ、
７ａ…通信管理テーブル、
８…画像メモリ、
９…クロック回路、
１０…ファックスモデム、
１１…ＮＣＵ、
１３…バス、
２０…ファクシミリ装置、
Ｌ…公衆電話回線。
【図１】
2004064523.tif 000003
【図２】
2004064523.tif 000004
【図３】
2004064523.tif 000005
【図４】
2004064523.tif 000006
【図５】
2004064523.tif 000007
【図６】
2004064523.tif 000008